(57)【要約】【課題】複数のファイルを連結した連結ファイルの印刷において、ユーザーに手間をかけることなくユーザーが所望する印刷結果を実現する。【解決手段】印刷装置は、印刷対象となるファイルを選択するための複数の選択肢３０を操作パネル１３に表示させ、複数の選択肢３０のうち、いずれかの選択肢３０が選択されると、選択された選択肢３０である第１選択肢３１以外の選択肢である第２選択肢３２に対応するファイルである非選択ファイルについて、第１選択肢３１に対応するファイルと連結して印刷することが推奨されるファイルである推奨ファイルであるか否かを判断し、推奨ファイルであると判断した非選択ファイルに対応する第２選択肢３２である推奨選択肢３２ａと、推奨ファイルではないと判断した非選択ファイルに対応する第２選択肢３２である非推奨選択肢３２ｂと、を異なる表示態様で表示させる。【選択図】図３
2020179521.tif 000002
【特許請求の範囲】
【請求項１】
表示部の表示制御を行う表示制御部と、
ユーザーの操作を受け付ける操作受付部と、を備え、
前記表示制御部は、
記憶部から読み出した複数のファイルに対応し、印刷対象となる前記ファイルを選択するための複数の選択肢を前記表示部に表示させ、
前記操作受付部により、複数の前記選択肢のうち、いずれかの前記選択肢の選択操作を受け付けると、選択された前記選択肢以外の選択肢に対応する前記ファイルである非選択ファイルについて、選択された前記選択肢に対応する前記ファイルである選択ファイルと連結して印刷することが推奨される前記ファイルである推奨ファイルであるか否かを判断し、
前記推奨ファイルであると判断した前記非選択ファイルに対応する選択肢と、前記推奨ファイルではないと判断した前記非選択ファイルに対応する選択肢と、を異なる表示態様で前記表示部に表示させることを特徴とする印刷装置。
【請求項２】
前記表示制御部は、
前記選択ファイルに設定された印刷設定と、前記非選択ファイルに設定された印刷設定と、に基づき、前記非選択ファイルについて、前記推奨ファイルであるか否かを判断することを特徴とする請求項１に記載の印刷装置。
【請求項３】
前記印刷設定は、前記ファイルが印刷される印刷媒体のサイズと、カラー印刷かモノクロ印刷かを示すカラーモードと、前記印刷媒体に対する印刷レイアウトと、前記印刷媒体に前記ファイルを印刷した印刷物を製本する場合の製本設定と、のうち少なくとも１つの設定を含むことを特徴とする請求項２に記載の印刷装置。
【請求項４】
前記表示制御部は、
前記推奨ファイルであると判断した前記非選択ファイルに対応する選択肢を、前記推奨ファイルではないと判断した前記非選択ファイルに対応する選択肢よりも強調して表示させることを特徴とする請求項１ないし３のいずれか１項に記載の印刷装置。
【請求項５】
前記表示制御部は、
前記推奨ファイルではないと判断した前記非選択ファイルに対応する選択肢に関連付けて、前記ファイルについて、前記推奨ファイルではないと判断した理由を示す付加情報を表示させることを特徴とする請求項１ないし４のいずれか１項に記載の印刷装置。
【請求項６】
前記表示制御部は、
前記操作受付部により、前記推奨ファイルではないと判断した前記非選択ファイルに対応する選択肢の選択操作を受け付けると、推奨されない理由を示す第１警告表示を行うことを特徴とする請求項１ないし４のいずれか１項に記載の印刷装置。
【請求項７】
前記表示制御部は、
前記操作受付部により、前記推奨ファイルではないと判断した前記非選択ファイルに対応する選択肢に対する第１の選択操作を受け付けると、前記第１警告表示を行い、
前記推奨ファイルではないと判断した前記非選択ファイルに対応する選択肢に対する、前記第１の選択操作とは異なる第２の選択操作を受け付けると、前記第１警告表示を行わず、
前記第２の選択操作を受け付けた選択肢に対応する前記ファイルを、前記選択ファイルと連結して印刷する印刷対象として決定する印刷対象決定部を備えることを特徴とする請求項６に記載の印刷装置。
【請求項８】
前記表示制御部は、
前記操作受付部により、前記推奨ファイルではないと判断した前記非選択ファイルに対応する選択肢に対する選択操作を受け付けた後、印刷指示を受け付けると、所望の印刷結果が得られない旨を示す第２警告表示を行うことを特徴とする請求項１ないし４のいずれか１項に記載の印刷装置。
【請求項９】
前記表示制御部は、
前記推奨ファイルではないと判断した前記非選択ファイルに対応する選択肢に対する前記第１の選択操作を受け付けることなく、前記第２の選択操作を受け付けた後、印刷指示を受け付けると、所望の印刷結果が得られない旨を示す第２警告表示を行い、
前記推奨ファイルではないと判断した前記非選択ファイルに対応する選択肢に対する前記第１の選択操作を受け付けて前記第１警告表示を行った後、印刷指示を受け付けると、前記第２警告表示を行わないことを特徴とする請求項７に記載の印刷装置。
【請求項１０】
印刷装置が、
記憶部から読み出した複数のファイルに対応し、印刷対象となる前記ファイルを選択するための複数の選択肢を表示部に表示させるステップと、
複数の前記選択肢のうち、いずれかの前記選択肢の選択操作を受け付けると、選択された前記選択肢以外の選択肢に対応する前記ファイルである非選択ファイルについて、選択された前記選択肢に対応する前記ファイルである選択ファイルと連結して印刷することが推奨される前記ファイルである推奨ファイルであるか否かを判断するステップと、
前記推奨ファイルであると判断した前記非選択ファイルに対応する選択肢と、前記推奨ファイルではないと判断した前記非選択ファイルに対応する選択肢と、を異なる表示態様で前記表示部に表示させるステップと、を実行することを特徴とする印刷装置の制御方法。
【発明の詳細な説明】
【技術分野】
【０００１】
本発明は、印刷装置、および印刷装置の制御方法に関するものである。
【背景技術】
【０００２】
従来、複数のファイルを連結した連結ファイルを印刷させたいといった要望がある。例えば特許文献１では、複数のファイルに対応した複数の印刷設定を取得し、相反する印刷設定がある場合は、ユーザーに対し選択規則の指定を促し、ユーザーから選択規則が指定されると、指定された選択規則にしたがって、連結ファイルの印刷設定を決定する技術が開示されている。
【先行技術文献】
【特許文献】
【０００３】
【特許文献１】特開２００９−２５９０２１号公報
【発明の概要】
【発明が解決しようとする課題】
【０００４】
特許文献１のように、ユーザーが選択規則を指定する方法は、ユーザーにとって手間である。また、ユーザーに手間を掛けさせないため、印刷設定の変更を禁止する方法も考えられるが、この方法では、連結ファイルを印刷させた場合に、ユーザーが所望する印刷結果が得られない可能性が高くなってしまう。
【課題を解決するための手段】
【０００５】
本発明の印刷装置は、表示部の表示制御を行う表示制御部と、ユーザーの操作を受け付ける操作受付部と、を備え、表示制御部は、記憶部から読み出した複数のファイルに対応し、印刷対象となるファイルを選択するための複数の選択肢を表示部に表示させ、操作受付部により、複数の選択肢のうち、いずれかの選択肢の選択操作を受け付けると、選択された選択肢以外の選択肢に対応するファイルである非選択ファイルについて、選択された選択肢に対応するファイルである選択ファイルと連結して印刷することが推奨されるファイルである推奨ファイルであるか否かを判断し、推奨ファイルであると判断した非選択ファイルに対応する選択肢と、推奨ファイルではないと判断した非選択ファイルに対応する選択肢と、を異なる表示態様で表示部に表示させることを特徴とする。
【０００６】
本発明の印刷装置の制御方法は、印刷装置が、記憶部から読み出した複数のファイルに対応し、印刷対象となるファイルを選択するための複数の選択肢を表示部に表示させるステップと、複数の選択肢のうち、いずれかの選択肢の選択操作を受け付けると、選択された選択肢以外の選択肢に対応するファイルである非選択ファイルについて、選択された選択肢に対応するファイルである選択ファイルと連結して印刷することが推奨されるファイルである推奨ファイルであるか否かを判断するステップと、推奨ファイルであると判断した非選択ファイルに対応する選択肢と、推奨ファイルではないと判断した非選択ファイルに対応する選択肢と、を異なる表示態様で表示部に表示させるステップと、を実行することを特徴とする。
【図面の簡単な説明】
【０００７】
【図１】印刷装置のハードウェア構成を示すブロック図である。
【図２】ファイルを選択する前のファイル選択画面の表示例を示す図である。
【図３】「ファイルＡ」の選択肢が選択された場合のファイル選択画面の表示例を示す図である。
【図４】図３の状態から、「ファイルＢ」、「ファイルＥ」および「ファイルＦ」の選択肢が選択された場合のファイル選択画面の表示例を示す図である。
【図５】変形例１に係る、「ファイルＡ」の選択肢が選択された場合のファイル選択画面の表示例を示す図である。
【図６】変形例２に係る、「ファイルＡ」の選択肢が選択された後、「ファイルＤ」の選択肢に対し第１の選択操作が行われた場合のファイル選択画面の表示例を示す図である。
【図７】変形例２に係る、「ファイルＡ」の選択肢が選択された後、「ファイルＤ」の選択肢に対し第２の選択操作が行われた場合のファイル選択画面の表示例を示す図である。
【図８】変形例３に係る、「ファイルＡ」および「ファイルＤ」の選択肢が選択され、印刷開始ボタンが選択された場合のファイル選択画面の表示例を示す図である。
【発明を実施するための形態】
【０００８】
以下、一実施形態に係る印刷装置、および印刷装置の制御方法について、添付図面を参照して説明する。図１は、印刷装置１のハードウェア構成を示すブロック図である。印刷装置１は、制御部１１と、通信部１２と、操作パネル１３と、印刷機構１４と、記憶部１５と、を備えている。操作パネル１３は、「表示部」および「操作受付部」の一例である。制御部１１は、「表示制御部」および「印刷対象決定部」の一例である。
【０００９】
制御部１１は、ＣＰＵ（Central Processing Unit）１１ａ、ＲＯＭ（Read Only Memory）１１ｂおよびＲＡＭ（Random Access Memory）１１ｃを含む。ＲＯＭ１１ｂは、印刷装置１のファームウェアなど、各種制御プログラムを記憶する。ＣＰＵ１１ａは、ＲＯＭ１１ｂに記憶された制御プログラムをＲＡＭ１１ｃに展開して実行することにより、印刷装置１内の各部を制御する。
【００１０】
なお、制御部１１は、ＣＰＵ１１ａ以外のプロセッサーを用いてもよい。プロセッサーは、例えばＡＳＩＣ（Application Specific Integrated Circuit）等のハードウェア回路で構成されてもよい。また、プロセッサーは、１以上のＣＰＵとＡＳＩＣ等のハードウェア回路が協働して動作する構成でもよい。
【００１１】
通信部１２は、ホスト装置２と通信し、ホスト装置２から印刷データファイルを受信する。以下の説明では、印刷データファイルを、単に「ファイル」と称する。制御部１１は、ホスト装置２からファイルを受信すると、受信したファイルをファイルデータベース１５ａに記憶させる。そして、制御部１１は、後述する操作パネル１３の操作に基づいて、ファイルデータベース１５ａに記憶されたファイルの中から、指定されたファイルを印刷機構１４に印刷させる。
【００１２】
操作パネル１３は、各種情報を表示すると共に、ユーザーからの各種操作を受け付ける。本実施形態において、操作パネル１３は、主に、ファイル選択画面Ｄ（図２等参照）を表示させ、ファイル選択画面Ｄに対する操作を受け付けるために用いられる。
【００１３】
印刷機構１４は、コピー用紙等の印刷媒体に印刷を行うプリンターエンジンである。例えばインクジェット方式の場合、印刷機構１４には、インクジェットヘッド、ヘッド駆動機構、印刷媒体搬送機構などが含まれる。また、例えば電子写真方式の場合、印刷機構１４には、レーザー光源、転写機構、印刷媒体搬送機構などが含まれる。
【００１４】
記憶部１５は、不揮発性の記憶装置であり、ファイルデータベース１５ａなどを記憶する。ファイルデータベース１５ａには、複数のファイルが含まれる。ファイルデータベース１５ａに記憶されたファイルは、操作パネル１３の操作に基づいて、印刷したり削除したりすることが可能である。
【００１５】
図２は、ファイル選択画面Ｄの表示例を示す図である。ファイル選択画面Ｄは、ファイル選択領域２１と、印刷開始ボタン２２と、を表示する。ファイル選択領域２１は、ファイルデータベース１５ａに記憶された複数のファイルの中から、印刷対象となるファイルを選択するための領域である。ファイル選択領域２１は、ファイルデータベース１５ａに記憶されている複数のファイルに対応する複数の選択肢３０を表示する。各選択肢３０は、矩形枠３０ａの中にファイルのサムネイル３０ｂが表示されたアイコンである。サムネイル３０ｂは、例えばファイルに複数ページの印刷データが含まれる場合、トップページのサムネイル画像である。
【００１６】
なお、図２以降の図面においては、分かりやすく示すため、サムネイル３０ｂとして、サムネイル画像に代えて「ファイルＡ」、「ファイルＢ」などのファイル名を示している。また、図２以降の説明では、ファイルデータベース１５ａに、「ファイルＡ」ないし「ファイルＨ」の８つのファイルが記憶されているものとして説明する。
【００１７】
また、ファイル選択領域２１は、スクロールバー２５を表示する。スクロールバー２５は、ファイル選択領域２１に表示しきれていないファイルの選択肢３０をスクロール表示させるために用いられる。ユーザーは、スクロールバー２５の操作子２５ａを、スクロールバー２５の長手方向に移動させることにより、ファイルデータベース１５ａに記憶されている全てのファイルを閲覧可能である。
【００１８】
一方、印刷開始ボタン２２は、ファイル選択領域２１から選択されたファイルの印刷を開始させるためのボタンである。制御部１１は、ファイル選択領域２１において、ファイルに対応する選択肢３０が選択された状態で、印刷開始ボタン２２が選択された場合、選択状態にある選択肢３０に対応するファイルを、印刷機構１４に印刷させる。
【００１９】
また、制御部１１は、ファイル選択領域２１において２つ以上の選択肢３０が選択された状態で、印刷開始ボタン２２が選択された場合、選択状態にある２つ以上のファイルを結合して連結ファイルを生成し、生成した連結ファイルを、印刷機構１４に印刷させる。以下、２つ以上のファイルを連結させて印刷することを、「連結印刷」と称する。これに対し、ファイルを１つずつ印刷することを、「通常印刷」と称する。
【００２０】
ユーザーは、例えば３つのファイルを通常印刷させる場合、ファイルの選択肢３０を選択する操作と、印刷開始ボタン２２を選択する操作と、の２回の選択操作を３回繰り返す必要がある。つまり、３つのファイルを通常印刷させるためには、合計６回の選択操作が必要となる。これに対し、３つのファイルを連結印刷させる場合、ユーザーは、ファイルの選択肢３０を選択する操作を３回行い、印刷開始ボタン２２を選択する、合計４回の選択操作を行えばよい。このように、連結印刷を行うことで、ユーザーの印刷操作の手間を軽減することができる。
【００２１】
ところで、連結印刷を行う場合、印刷設定の異なるファイルが含まれていると、ユーザーが所望しない印刷結果となる可能性がある。例えば、カラーモードの異なるファイルを連結印刷すると、カラー印刷とモノクロ印刷とが混在した印刷結果となってしまい、カラーモードを統一さたせたいユーザーにとっては、所望しない印刷結果となってしまう。そこで、制御部１１は、ファイル選択領域２１において、いずれかの選択肢３０の選択操作を受け付けると、選択された選択肢３０以外の選択肢３０に対応するファイルである非選択ファイルについて、選択された選択肢３０に対応するファイルである選択ファイルと印刷設定が同じファイルであるか否かを判断する。そして、制御部１１は、印刷設定が同じではないと判断した非選択ファイルに対応する選択肢３０をグレーアウトして表示させる（図３の符号３２ｂ参照）。
【００２２】
なお、「印刷設定が異なる」とは、用紙サイズと、カラーモードと、印刷レイアウトと、製本設定と、のうち少なくとも１つの設定が異なることを指す。用紙サイズの設定とは、ファイルが印刷される印刷媒体のサイズの設定を指す。また、カラーモードの設定とは、カラー印刷かモノクロ印刷かの設定を指す。また、印刷レイアウトの設定とは、印刷媒体に対するファイルのレイアウト設定を指す。印刷レイアウトの設定には、印刷媒体に対する割付設定、両面印刷か片面印刷かの設定、印刷媒体の方向設定および余白設定が含まれる。また、製本設定とは、印刷媒体にファイルを印刷した印刷物を製本する場合の設定を指す。製本設定には、ステープルを使用するか否かの設定や、ステープル位置の設定が含まれる。
【００２３】
このように、制御部１１は、選択ファイルに対し、印刷設定が同じであると判断した非選択ファイルに対応する選択肢３０と、印刷設定が同じではないと判断した非選択ファイルに対応する選択肢３０と、を異なる表示態様で表示させる。これにより、ユーザーは、ファイル選択領域２１に表示されている各選択肢３０について、選択ファイルとの連結印刷に適するファイルの選択肢３０であるか否かを容易に区別することができる。
【００２４】
なお、以下の説明において、選択ファイルに対応する選択肢３０、すなわちファイル選択領域２１において最初に選択された選択肢３０を、「第１選択肢３１」と称する。また、非選択ファイルに対応する選択肢３０、すなわちファイル選択領域２１に表示される複数の選択肢３０のうち「第１選択肢３１」以外の選択肢３０を、「第２選択肢３２」と称する。また、第２選択肢３２のうち、選択ファイルと印刷設定が同じであると判断された非選択ファイルに対応する選択肢３０を、「推奨選択肢３２ａ」と称する。また、第２選択肢３２のうち、選択ファイルと印刷設定が同じではないと判断された非選択ファイルに対応する選択肢３０を、「非推奨選択肢３２ｂ」と称する。
【００２５】
図３は、「ファイルＡ」の選択肢３０が選択された場合のファイル選択画面Ｄの表示例を示す図である。同図の例では、「ファイルＡ」の選択肢３０が選択されているため、「ファイルＡ」が選択ファイルであり、その他の７つのファイルが、非選択ファイルである。なお、ファイルの選択は、例えば選択肢３０がタッチされることにより行われる。また、選択肢３０が再度タッチされると、ファイルの選択が解除される。
【００２６】
また、同図では、非選択ファイルのうち、「ファイルＤ」および「ファイルＧ」が、非推奨ファイルと判断され、対応する選択肢３０である非推奨選択肢３２ｂが、グレーアウトして表示されている。
【００２７】
この場合、制御部１１は、選択ファイルに対応する第１選択肢３１に、対応するファイルが選択された状態であることを示す太線枠Ｂ１を付加して表示する。また、制御部１１は、非選択ファイルに対応する第２選択肢３２のうち、非推奨選択肢３２ｂ以外の選択肢３０である推奨選択肢３２ａを、第１選択肢３１から太線枠Ｂ１を除いた状態、すなわち通常状態で表示させる。つまり、制御部１１は、非推奨選択肢３２ｂをグレーアウト表示し、推奨選択肢３２ａをグレーアウト表示しないことにより、推奨選択肢３２ａを非推奨選択肢３２ｂよりも強調して表示させる。
【００２８】
また、制御部１１は、ファイル選択領域２１において最初に選択肢３０が選択された時点で、非推奨選択肢３２ｂに関連付けて、その非推奨選択肢３２ｂに対応するファイルについて、非推奨ファイルであると判断した理由を示す付加情報４１を表示させる。同図では、「ファイルＡ」の印刷設定に対し、「ファイルＤ」は、カラーモードが異なり、「ファイルＧ」は、用紙サイズが異なる場合の付加情報４１の表示例を示している。
【００２９】
ユーザーは、表示された付加情報４１を参考にして、「ファイルＡ」と連結印刷させるファイルを選択する。なお、ユーザーは、推奨選択肢３２ａであるか非推奨選択肢３２ｂであるかに関わらず、ファイルを選択することが可能である。
【００３０】
図４は、図３の状態から、ユーザーが、「ファイルＢ」、「ファイルＥ」および「ファイルＦ」の選択肢３０を選択した場合のファイル選択画面Ｄの表示例を示す図である。図４では、４つのファイルが選択された状態であるため、４つのファイルには、太線枠Ｂ１が付加されている。制御部１１は、図４に示す状態で、印刷開始ボタン２２が選択されると、「ファイルＡ」、「ファイルＢ」、「ファイルＥ」および「ファイルＦ」の４つのファイルを結合して連結ファイルを生成し、生成した連結ファイルを、印刷機構１４に印刷させる。
【００３１】
以上説明したとおり、本実施形態に係る印刷装置１は、ファイル選択画面Ｄのファイル選択領域２１に表示された複数の選択肢３０のうち、選択された第１選択肢３１以外の第２選択肢３２に対応する非選択ファイルについて、推奨ファイルであるか否かを判断し、推奨ファイルであると判断した非選択ファイルに対応する推奨選択肢３２ａと、推奨ファイルではないと判断した非選択ファイルに対応する非推奨選択肢３２ｂと、を異なる表示態様で表示させる。
【００３２】
この構成により、ユーザーは、連結印刷を行いたい場合、選択ファイルと連結して印刷するファイルを選ぶ際に、ファイル選択領域２１に表示された各選択肢３０の表示形態の違いから、推奨選択肢３２ａであるか、または非推奨選択肢３２ｂであるかを判断することができる。また、ユーザーは、非推奨選択肢３２ｂの選択を避け、推奨選択肢３２ａを選択することで、手間なく所望する印刷結果を得ることができる。
【００３３】
また、印刷装置１は、ファイルに設定された印刷設定に基づいて、非選択ファイルについて、推奨ファイルであるか否かを判断するため、印刷設定が異なる複数のファイルが連結印刷されて、ユーザーが所望しない印刷結果になることを抑制することができる。
【００３４】
また、印刷装置１は、推奨選択肢３２ａを、非推奨選択肢３２ｂよりも強調して表示させるため、ユーザーは、強調して表示されているか否かに応じて、推奨選択肢３２ａであるか否かを容易に判断することができる。
【００３５】
また、印刷装置１は、非推奨選択肢３２ｂに関連付けて、その非推奨選択肢３２ｂに対応するファイルについて、非推奨ファイルであると判断した理由を示す付加情報４１を表示させるため、ユーザーは、連結印刷の対象として推奨されない理由を確認することができる。
【００３６】
なお、上記の実施形態によらず、以下の変形例を採用可能である。
［変形例１］
上記の実施形態において、制御部１１は、非推奨選択肢３２ｂをグレーアウト表示することにより、推奨選択肢３２ａを非推奨選択肢３２ｂよりも強調して表示させたが、他の方法を用いてもよい。例えば、図５に示すように、非推奨選択肢３２ｂの表示サイズを縮小して表示させることにより、推奨選択肢３２ａを非推奨選択肢３２ｂよりも強調して表示させてもよい。逆に、推奨選択肢３２ａの表示サイズを拡大して表示させてもよい。
【００３７】
その他、推奨選択肢３２ａと非推奨選択肢３２ｂとで、矩形枠３０ａまたはサムネイル３０ｂの表示サイズや表示色を変えるなど、選択肢３０の一部のみを異なる表示形態としてもよい。
【００３８】
［変形例２］
上記の実施形態において、制御部１１は、非推奨選択肢３２ｂに関連付けて付加情報４１を表示させたが（図３等参照）、付加情報４１を表示させない構成でもよい。この場合、非推奨選択肢３２ｂが選択された時点で、例えば図６に示すように、第１警告画面５１を表示させてもよい。第１警告画面５１は、「第１警告表示」の一例である。
【００３９】
図６は、「ファイルＡ」の選択肢３０が選択され、非推奨選択肢３２ｂとなった「ファイルＤ」の選択肢３０に対し、第１の選択操作が行われた場合のファイル選択画面Ｄの表示例を示す図である。ここで、第１の選択操作は、例えばダブルタップ操作である。第１の選択操作が行われた場合、選択された選択肢３０は、選択状態となり、太線枠Ｂ１が付加される。
【００４０】
制御部１１は、非推奨選択肢３２ｂに対する第１の選択操作を受け付けると、第１警告画面５１を表示させる。第１警告画面５１は、ポップアップ画面であり、非推奨選択肢３２ｂに対応するファイルが、選択ファイルと連結印刷する印刷対象として推奨されない理由を示すメッセージを表示する。第１警告画面５１は、タップまたはダブルタップされると非表示となる。また、第１警告画面５１は、推奨選択肢３２ａが選択された場合には、表示されない。なお、ユーザーは、第１警告画面５１が表示された状態でも、印刷開始ボタン２２を選択することで、印刷を開始させることができる。また、ユーザーは、第１警告画面５１をタップして非表示にさせた後、ファイルを選択し直すこともできる。
【００４１】
一方、図７は、「ファイルＡ」の選択肢３０が選択され、非推奨選択肢３２ｂとなった「ファイルＤ」の選択肢３０に対し第１の選択操作とは異なる第２の選択操作が行われた場合のファイル選択画面Ｄの表示例を示す図である。ここで、第２の選択操作は、例えばタップ操作である。制御部１１は、非推奨選択肢３２ｂに対する、第２の選択操作を受け付けると、第１警告画面５１を表示させず、第２の選択操作を受け付けた非推奨選択肢３２ｂに対応する非推奨ファイルを、選択ファイルである「ファイルＡ」と連結印刷する印刷対象として決定する。また、第２の選択操作が行われると、選択された「ファイルＤ」の選択肢３０は、選択状態となり、太線枠Ｂ１が付加される。
【００４２】
このように、変形例２によれば、ユーザーは、第１の選択操作を行うことにより、第１の選択操作を行った選択肢３０に対応するファイルが、選択ファイルと連結して印刷することが推奨されない理由を確認することができ、第２の選択操作を行うことにより、選択ファイルと連結して印刷することが推奨されない理由を確認することなく、印刷対象となるファイルを指定することができる。
【００４３】
［変形例３］
また、制御部１１は、非推奨選択肢３２ｂが選択された時点では警告表示を行わず、印刷指示を受け付けた時点で、図８に示すように、第２警告画面５２を表示させてもよい。第２警告画面５２は、「第２警告表示」の一例である。
【００４４】
図８は、「ファイルＡ」の選択肢３０が選択され、非推奨選択肢３２ｂとなった「ファイルＤ」の選択肢３０が選択され、印刷開始ボタン２２が選択された場合のファイル選択画面Ｄの表示例を示す図である。この時点で、「ファイルＤ」の選択肢３０である非推奨選択肢３２ｂは選択状態にあるため、太線枠Ｂ１が付加されている。制御部１１は、非推奨選択肢３２ｂに対する選択操作を受け付けた後、印刷開始ボタン２２の選択により印刷指示を受け付けると、第２警告画面５２を表示させる。第２警告画面５２は、ポップアップ画面であり、所望の印刷結果が得られない旨を示すメッセージを表示する。
【００４５】
また、第２警告画面５２には、印刷継続ボタン５２ａと、キャンセルボタン５２ｂと、を表示する。制御部１１は、印刷継続ボタン５２ａが選択されると、「ファイルＡ」と「ファイルＤ」に基づいて連結ファイルを生成し、生成した連結ファイルを、印刷機構１４に印刷させる。また、制御部１１は、キャンセルボタン５２ｂが選択されると、第２警告画面５２を非表示とする。ユーザーは、第２警告画面５２を非表示にさせた後、ファイルを選択し直すことができる。
【００４６】
このように、変形例３によれば、ユーザーは、印刷指示を行った複数のファイルに基づいて連結印刷を行うと、所望の印刷結果が得られない旨を確認することができる。
【００４７】
［変形例４］
また、変形例２と変形例３を組み合わせてもよい。本変形例において、制御部１１は、非推奨選択肢３２ｂに対する第１の選択操作を受け付けることなく、第２の選択操作を受け付けた後、印刷指示を受け付けると、第２警告画面５２（図８参照）を表示させる。一方、制御部１１は、非推奨選択肢３２ｂに対する第１の選択操作を受け付けて第１警告画面５１（図６参照）を表示させた後、印刷指示を受け付けると、第２警告画面５２を表示させない。
【００４８】
この構成によれば、ユーザーは、非推奨選択肢３２ｂに対し第１の選択操作を行うことなく印刷指示を行うと、所望の印刷結果が得られない旨を確認することができ、第１の選択操作を行って第１警告画面５１を確認した後、印刷指示を行うと、所望の印刷結果が得られない旨の確認を行う必要がない。
【００４９】
［変形例５］
上記の実施形態において、制御部１１は、ファイルデータベース１５ａに記憶されている全てのファイルを、ファイル選択画面Ｄのファイル選択領域２１に表示させたが、必ずしもファイルデータベース１５ａに記憶されている全てのファイルを表示させなくてもよい。例えば、印刷装置１が、ユーザー認証機能を有している場合、制御部１１は、ファイルデータベース１５ａに記憶されているファイルのうち、認証を許可したユーザーのファイルのみを対象としてファイル選択領域２１に表示させてもよい。この場合、ホスト装置２から送信されるファイルには、ユーザーを特定する特定情報が付加されているものとする。制御部１１は、ユーザー認証操作により取得した情報と、ファイルに付加された特定情報と、を照合し、ファイルデータベース１５ａに記憶されているファイルの中から、認証を許可したユーザーのファイルを抽出し、抽出したファイルをファイル選択領域２１に表示させる。
【００５０】
［変形例６］
上記の実施形態において、制御部１１は、ファイルに設定された印刷設定に基づいて、非選択ファイルが推奨ファイルであるか否かを判断したが、印刷設定以外の情報に基づいて判断してもよい。例えば、画像ファイルや文書ファイルなどのファイル種類、ファイル形式、またはファイルフォーマットなどに基づいて、非選択ファイルが推奨ファイルであるか否かを判断してもよい。その他、制御部１１は、ファイルに付加された各種情報に基づいて、非選択ファイルが推奨ファイルであるか否かを判断してもよい。
【００５１】
［変形例７］
上記の実施形態において、「印刷設定が異なる」とは、用紙サイズと、カラーモードと、印刷レイアウトと、製本設定と、のうち少なくとも１つの設定が異なることを指したが、これらの全ての設定が異なること、またはこれらのうち２以上の設定が異なることを指すものとしてもよい。
【００５２】
また、「印刷設定」は、上記したものによらず、印刷媒体の種類や、印刷品質など、一般的な印刷ドライバーで設定可能な項目を含めてもよい。
【００５３】
［変形例８］
上記の実施形態において、「連結印刷」とは、２つ以上のファイルを結合して連結ファイルを生成し、生成した連結ファイルを印刷するもの、としたが、連結ファイルを生成するのではなく、２つ以上のファイルを単に連続印刷することを指すものとしてもよい。
【００５４】
なお、このように、２つ以上のファイルを単に連続印刷した場合、印刷実行履歴は、個々のファイルが別々に印刷されたものとして記録される。一方、２つ以上のファイルを結合して連結ファイルを印刷した場合、印刷実行履歴は、１つのファイルが印刷されたものとして記録される。
【００５５】
［変形例９］
上記の実施形態において、制御部１１は、推奨選択肢３２ａと、非推奨選択肢３２ｂと、をグレーアウトの有無により、異なる表示形態で表示したが、第２選択肢３２に対し、推奨選択肢３２ａであるか否か、または非推奨選択肢３２ｂであるか否かを示す選択肢情報を付加して表示してもよい。選択肢情報の表示は、図３に示した付加情報４１のように、吹き出し表示でもよいし、第２選択肢３２に重畳して、「推奨」または「非推奨」などの文字の他、記号やアイコン等を表示してもよい。
【００５６】
［変形例１０］
上記の実施形態において、選択肢３０は、矩形枠３０ａの中にサムネイル３０ｂが表示されたアイコンであるものとしたが、選択肢３０の表示形態は特に問わない。例えば、選択肢３０として、ファイル名のみを記載したボタンを表示するなど、最低限、ユーザーがファイルを区別できる表示形態であればよい。
【００５７】
［変形例１１］
上記の実施形態において、制御部１１は、ホスト装置２からファイルを受信すると、受信したファイルをファイルデータベース１５ａに記憶させたが、ホスト装置２から、ファイルの「印刷」または「保存」を指定可能としてもよい。この場合、ホスト装置２は、これらの指定を、印刷装置１を制御するための印刷ドライバーを用いて行う。制御部１１は、ホスト装置２の指定にしたがって、ホスト装置２から受信したファイルを印刷機構１４に印刷させるか、ファイルデータベース１５ａに記憶させるか、のいずれかの処理を行う。
【００５８】
［変形例１２］
上記の実施形態では、印刷装置１に、ファイルデータベース１５ａが記憶されている場合を示したが、ファイルデータベース１５ａは、印刷装置１と通信可能な外部装置に記憶されていてもよい。また、ファイル選択画面Ｄは、印刷装置１に設けられた操作パネル１３に表示されるのではなく、印刷装置１と通信可能な外部装置に表示される構成でもよい。また、印刷装置１は、ファイル選択画面Ｄの画面データを、無線通信等を介して、ユーザーが所持する携帯端末に送信し、携帯端末の表示画面に、ファイル選択画面Ｄを表示させてもよい。
【００５９】
［変形例１３］
上記の実施形態および各変形例に示した印刷装置１の各処理を実行する方法、印刷装置１の各処理を実行するためのプログラム、またそのプログラムを記録したコンピューター読み取り可能な記録媒体も、発明の権利範囲に含まれる。また、上記の実施形態と各変形例を組み合わせた構成としてもよい。その他、印刷装置１の各処理を、印刷機能、スキャナー機能、コピー機能などを備えた複合機により実行するなど、発明の要旨を逸脱しない範囲で、適宜変更が可能である。
【００６０】
［付記］
以下、印刷装置、および印刷装置の制御方法について付記する。
印刷装置１は、ユーザーの操作を受け付ける操作パネル１３と、操作パネル１３の表示制御を行う制御部１１と、を備え、制御部１１は、記憶部１５から読み出した複数のファイルに対応し、印刷対象となるファイルを選択するための複数の選択肢３０を操作パネル１３に表示させ、操作パネル１３により、複数の選択肢３０のうち、いずれかの選択肢３０の選択操作を受け付けると、選択された選択肢３０以外の選択肢３０に対応するファイルである非選択ファイルについて、選択された選択肢３０に対応するファイルである選択ファイルと連結して印刷することが推奨されるファイルである推奨ファイルであるか否かを判断し、推奨ファイルであると判断した非選択ファイルに対応する選択肢３０と、推奨ファイルではないと判断した非選択ファイルに対応する選択肢３０と、を異なる表示態様で操作パネル１３に表示させることを特徴とする。
【００６１】
印刷装置１の制御方法は、印刷装置１が、記憶部１５から読み出した複数のファイルに対応し、印刷対象となるファイルを選択するための複数の選択肢３０を操作パネル１３に表示させるステップと、複数の選択肢３０のうち、いずれかの選択肢３０の選択操作を受け付けると、選択された選択肢３０以外の選択肢３０に対応するファイルである非選択ファイルについて、選択された選択肢３０に対応するファイルである選択ファイルと連結して印刷することが推奨されるファイルである推奨ファイルであるか否かを判断するステップと、推奨ファイルであると判断した非選択ファイルに対応する選択肢３０と、推奨ファイルではないと判断した非選択ファイルに対応する選択肢３０と、を異なる表示態様で操作パネル１３に表示させるステップと、を実行することを特徴とする。
【００６２】
印刷装置１は、複数のファイルに対応する複数の選択肢３０のうち、いずれかが選択されると、選択された選択肢３０以外の選択肢３０に対応するファイルである非選択ファイルについて、選択された選択肢３０に対応するファイルである選択ファイルと連結して印刷することが推奨される推奨ファイルであるか否かを判断し、推奨ファイルであると判断した非選択ファイルに対応する選択肢３０と、推奨ファイルではないと判断した非選択ファイルに対応する選択肢３０と、を異なる表示態様で表示させる。この構成により、ユーザーは、複数のファイルを連結した連結ファイルを印刷させたい場合、選択ファイルと連結して印刷するファイルとして、推奨ファイルのみを選択することで、手間なく所望する印刷結果を得ることができる。
【００６３】
上記の印刷装置１において、制御部１１は、選択ファイルに設定された印刷設定と、非選択ファイルに設定された印刷設定と、に基づき、非選択ファイルについて、推奨ファイルであるか否かを判断することが好ましい。
【００６４】
この構成によれば、印刷装置１は、ファイルに設定された印刷設定に基づいて、推奨ファイルであるか否かを判断することができる。
【００６５】
上記の印刷装置１において、印刷設定は、ファイルが印刷される印刷媒体のサイズと、カラー印刷かモノクロ印刷かを示すカラーモードと、印刷媒体に対する印刷レイアウトと、印刷媒体にファイルを印刷した印刷物を製本する場合の製本設定と、のうち少なくとも１つの設定を含むことが好ましい。
【００６６】
この構成によれば、印刷装置１は、印刷媒体のサイズ、カラーモード、印刷レイアウト、製本設定、のうち少なくとも１つの設定に基づいて、推奨ファイルであるか否かを判断することができる。
【００６７】
上記の印刷装置１において、制御部１１は、推奨ファイルであると判断した非選択ファイルに対応する選択肢３０を、推奨ファイルではないと判断した非選択ファイルに対応する選択肢３０よりも強調して表示させることが好ましい。
【００６８】
この構成によれば、印刷装置１は、選択肢３０を強調表示させるか否かに応じて、選択肢３０に対応するファイルが推奨ファイルであるか否かをユーザーに示すことができる。
【００６９】
上記の印刷装置１において、制御部１１は、推奨ファイルではないと判断した非選択ファイルに対応する選択肢３０に関連付けて、ファイルについて、推奨ファイルではないと判断した理由を示す付加情報４１を表示させることが好ましい。
【００７０】
この構成によれば、印刷装置１は、推奨ファイルではないと判断した理由をユーザーに示すことができる。
【００７１】
上記の印刷装置１において、制御部１１は、操作パネル１３により、推奨ファイルではないと判断した非選択ファイルに対応する選択肢３０の選択操作を受け付けると、推奨されない理由を示す第１警告表示を行うことが好ましい。
【００７２】
この構成によれば、印刷装置１は、選択肢３０の選択操作を受け付けたファイルが、選択ファイルと連結して印刷することが推奨されない理由をユーザーに示すことができる。
【００７３】
上記の印刷装置１において、制御部１１は、操作パネル１３により、推奨ファイルではないと判断した非選択ファイルに対応する選択肢３０に対する第１の選択操作を受け付けると、第１警告表示を行い、推奨ファイルではないと判断した非選択ファイルに対応する選択肢３０に対する、第１の選択操作とは異なる第２の選択操作を受け付けると、第１警告表示を行わず、第２の選択操作を受け付けた選択肢３０に対応するファイルを、選択ファイルと連結して印刷する印刷対象として決定する印刷対象決定部を備えることが好ましい。
【００７４】
この構成によれば、ユーザーは、第１の選択操作により、第１の選択操作を行った選択肢３０に対応するファイルが、選択ファイルと連結して印刷することが推奨されない理由を確認することができ、第２の選択操作により、選択ファイルと連結して印刷することが推奨されない理由を確認することなく、印刷対象となるファイルを指定することができる。
【００７５】
上記の印刷装置１において、制御部１１は、操作パネル１３により、推奨ファイルではないと判断した非選択ファイルに対応する選択肢３０に対する選択操作を受け付けた後、印刷指示を受け付けると、所望の印刷結果が得られない旨を示す第２警告表示を行うことが好ましい。
【００７６】
この構成によれば、印刷装置１は、印刷指示を受け付けたファイルが、選択ファイルと連結して印刷した場合に、所望の印刷結果が得られない旨をユーザーに示すことができる。
【００７７】
上記の印刷装置１において、制御部１１は、推奨ファイルではないと判断した非選択ファイルに対応する選択肢３０に対する第１の選択操作を受け付けることなく、第２の選択操作を受け付けた後、印刷指示を受け付けると、所望の印刷結果が得られない旨を示す第２警告表示を行い、推奨ファイルではないと判断した非選択ファイルに対応する選択肢３０に対する第１の選択操作を受け付けて第１警告表示を行った後、印刷指示を受け付けると、第２警告表示を行わないことが好ましい。
【００７８】
この構成によれば、ユーザーは、第１の選択操作を行うことなく第２の選択操作を行って印刷指示を行うと、選択したファイルが推奨ファイルではない場合、所望の印刷結果が得られない旨を確認することができ、第１の選択操作を行って第１警告表示を確認した後、印刷指示を行うと、選択したファイルが推奨ファイルではない場合でも、所望の印刷結果が得られない旨の確認を行う必要がない。
【符号の説明】
【００７９】
１３…操作パネル、２１…ファイル選択領域、２２…印刷開始ボタン、２５…スクロールバー、２５ａ…操作子、３０…選択肢、３１…第１選択肢、３２…第２選択肢、３２ａ…推奨選択肢、３２ｂ…非推奨選択肢、４１…付加情報、Ｂ１…太線枠、Ｄ…ファイル選択画面。
【図１】
2020179521.tif 000003
【図２】
2020179521.tif 000004
【図３】
2020179521.tif 000005
【図４】
2020179521.tif 000006
【図５】
2020179521.tif 000007
【図６】
2020179521.tif 000008
【図７】
2020179521.tif 000009
【図８】
2020179521.tif 000010